(57)【要約】【課題】  通信相手の宛先情報をＥＮＵＭと連動して登録可能なアドレス登録機能を有する利便性の高い情報通信装置および方法を提要する。【解決手段】  通信相手の電話番号を電話番号入力手段により入力し、入力した電話番号をキーとしてＤＮＳサーバに問い合わせることにより通信相手の電話番号に対応した少なくとも１つのＮＡＰＴＲリソースレコードをＤＮＳ問合せ手段より取得し、取得したＮＡＰＴＲリソースレコードから宛先情報抽出手段によって通信手段、及びアドレスを抽出し、抽出した通信手段のうちの適合する通信手段を適合通信選択手段により選択し、選択した通信手段と該通信手段に対応したアドレスをアドレス帳へ通信相手の宛先情報として登録する。【選択図】  図２
2006020048.tif 000002
【特許請求の範囲】
【請求項１】
通信相手の宛先情報を登録するアドレス帳を備えた情報通信装置において、
前記通信相手の電話番号を入力する電話番号入力手段と、
前記電話番号入力手段で入力した該電話番号をキーとして、ＤＮＳサーバに問い合わせることにより前記通信相手の電話番号に対応した少なくとも１つのＮＡＰＴＲリソースレコードを取得するＤＮＳ問合せ手段と、
前記ＤＮＳ問い合わせ手段により取得したＮＡＰＴＲリソースレコードから通信手段、及びアドレスの宛先情報を抽出する宛先情報抽出手段と、
前記宛先情報抽出手段で抽出した通信手段のうちの適合する通信手段を選択する適合通信選択手段と、
前記適合通信選択手段で選択された通信手段と該通信手段に対応したアドレスを前記アドレス帳へ前記通信相手の宛先情報として登録する登録手段と
を具備することを特徴とする情報通信装置。
【請求項２】
前記適合通信選択手段で選択された通信手段を表示する適合通信表示手段と、
前記適合通信表示手段で表示された通信手段の中から前記アドレス帳へ登録する該通信手段を選択する通信選択手段とを
更に具備し、
前記通信選択手段で選択された通信手段と該通信手段に対応したアドレスを前記アドレス帳へ前記通信相手の宛先情報として登録すること
を特徴とする請求項１記載の情報通信装置。
【請求項３】
前記適合通信選択手段で選択された通信手段に優先順位付けを行う優先順位付手段を
更に具備し、
前記適合通信選択手段で選択された通信手段を前記優先順位付手段で優先順位付けした該通信手段と該通信手段に対応したアドレスを前記アドレス帳へ前記通信相手の宛先情報として登録すること
を特徴とする請求項１記載の情報通信装置。
【請求項４】
前記優先順位付手段は、
前記通信相手が設定した通信手段に付けられた優先順位に基づき前記適合通信選択手段で選択された通信手段に優先順位付けを行う
ことを特徴とする請求項３記載の情報通信装置。
【請求項５】
前記登録手段で登録された前記通信相手の宛先情報に基づき前記通信手段に対応した通信サービスを選択し、
前記通信手段に優先順位付けられた優先順位で前記通信手段に対応したアドレスへ通信すること
を特徴とする請求項１乃至４のいずれかに記載の情報通信装置。
【請求項６】
通信相手の宛先情報を登録するアドレス帳を備えた情報通信装置の情報通信方法において、
前記通信相手の電話番号を電話番号入力手段により入力し、
前記電話番号入力手段で入力した該電話番号をキーとして、ＤＮＳサーバに問い合わせることにより前記通信相手の電話番号に対応した少なくとも１つのＮＡＰＴＲリソースレコードをＤＮＳ問合せ手段により取得し、
前記ＤＮＳ問い合わせ手段により取得したＮＡＰＴＲリソースレコードから、通信手段、及びアドレスの宛先情報を宛先情報抽出手段により抽出し、
前記宛先情報抽出手段で抽出した前記通信手段のうちの適合する通信手段を適合通信選択手段により選択し、
前記適合通信選択手段で選択された通信手段と該通信手段に対応したアドレスを前記アドレス帳へ前記通信相手の宛先情報として登録する
ことを特徴とする情報通信方法。
【請求項７】
前記適合通信選択手段で選択された通信手段を更に適合通信表示手段により表示し、
前記適合通信表示手段で表示された通信手段の中から前記アドレス帳へ登録する該通信手段を更に通信選択手段により選択し、
前記通信選択手段で選択された通信手段と該通信手段に対応したアドレスを前記アドレス帳へ前記通信相手の宛先情報として登録すること
を特徴とする請求項６記載の情報通信方法。
【請求項８】
前記適合通信選択手段で選択された通信手段に対して更に優先順位付手段により優先順位付けを行い、
前記適合通信選択手段で選択された通信手段を前記優先順位付手段で優先順位付けした該通信手段と該通信手段に対応したアドレスを前記アドレス帳へ前記通信相手の宛先情報として登録すること
を特徴とする請求項６記載の情報通信方法。
【請求項９】
前記優先順位付手段は、
前記通信相手が設定した通信手段に付けられた優先順位に基づき前記適合通信選択手段で選択された通信手段に優先順位付けを行う
ことを特徴とする請求項８記載の情報通信方法。
【請求項１０】
前記登録手段で登録された前記通信相手の宛先情報に基づき前記通信手段に対応した通信サービスを選択し、前記通信手段に優先順位付けられた優先順位で前記通信手段に対応したアドレスへ通信すること
を特徴とする請求項６乃至９のいずれかに記載の情報通信方法。
【発明の詳細な説明】
【技術分野】
【０００１】
本発明は、情報通信装置および方法に関し、特に、通信相手の宛先情報をＥＮＵＭ（＝ｔＥｌｅｐｈｏｎｅ  ＮＵｍｂｅｒ  Ｍａｐｐｉｎｇ）と連動して登録可能なアドレス登録機能を有する利便性の高い情報通信装置および方法に関する。
【背景技術】
【０００２】
近年、インターネット等のネットワーク技術やネットワークを介して行う通信のプロトコル、ネットワークに接続するコンピュータ機器等の発達と普及に伴い、公衆網電話回線を介した通信に比べ通信コストが安価で他用途の通信が可能なネットワーク通信が広く利用されている。
【０００３】
また、ひとつの通信装置で公衆網電話回線とネットワークとを介した情報通信を可能とするような通信装置も提供されている。
【０００４】
このような通信装置では、例えば、公衆網電話回線を介した情報通信を行う場合は、情報通信を行う通信相手の電話番号を入力して指定することで電話番号に対応付けられた通信相手と情報通信を行うことができる。
【０００５】
また、インターネットを介した情報通信を行う場合は、情報通信を行う通信相手のＩＰ（＝Ｉｎｔｅｒｎｅｔ  Ｐｒｏｔｏｃｏｌ）アドレス等を入力して指定することでＩＰアドレス等に対応付けられた通信相手と情報通信を行うことができる。
【０００６】
このように、ひとつの装置で公衆網電話回線とインターネット等のネットワークとを介した情報通信を可能とするような通信装置は、機能的には利便性が高いが、情報通信を行う通信相手を指定する場合は、通信相手が公衆網電話回線またはネットワークの何れに接続されているかに応じて電話番号またはＩＰアドレス等を入力する必要がある。
【０００７】
また、通信相手の電話番号またはＩＰアドレス等の宛先情報をアドレス帳に登録し、情報通信を行いたい通信相手の宛先情報が登録されたアドレス帳の登録番号を選択することで、選択した登録番号に登録された電話番号またはＩＰアドレス等に対応付けられた通信相手と情報通信を行うことも可能である。
【０００８】
しかし、アドレス帳に通信相手の宛先情報を登録する場合は、ユーザが通信相手の電話番号やＩＰアドレス等の情報を入力する必要があるため、特に、ＩＰアドレス（例えば  ２０３．１２６．２２６．１１１等）やＩＰアドレスに対応付けられたドメイン名等を入力する作業は、ユーザにとっては煩雑な作業であり、誤登録する場合がある。
【０００９】
そこで、例えば、特許文献１には、通信相手の宛先情報を登録する際、通信相手の電話番号を登録すると同時にＩＰアドレスを自動登録するネットワークファクシミリ装置が提案されている。
【００１０】
また、特許文献２には、通信相手の宛先情報を登録する際、ひとつのワンタッチダイアルまたは短縮ダイアルに複数のアドレス情報を優先順位付けをして登録し、画情報を送信する場合は、ひとつのワンタッチダイアルまたは短縮ダイアルに登録されている複数のアドレス情報のうち、優先度の高いものから順次選択して対応する送信モードの画情報送信を行うネットワークファクシミリ装置およびその制御方法が提案されている。
【００１１】
また、特許文献３には、複数の接続回線種別と複数のファクシミリ通信手順に優先して通信を行う優先指示を設定し、優先指示に基づく接続回線種別と複数のファクシミリ通信手順を自動的に選択して制御するファクシミリ装置が提案されている。
【００１２】
また、最近、ＩＴＵ−Ｔ（＝国際電気通信連合）のＥ．１６４勧告に基づく電話番号をキーとしてＤＮＳ(＝Ｄｏｍａｉｎ  Ｎａｍｅ  Ｓｙｓｔｅｍ)を検索することにより、電話番号に対応付けられた複数の通信手段を持った通信相手の複数のアドレス情報等を得ることが可能なＥＮＵＭ（＝ｔＥｌｅｐｈｏｎｅ  ＮＵｍｂｅｒ  Ｍａｐｐｉｎｇ）と呼ばれる技術が提案されている。
【００１３】
このＥＮＵＭ技術は、ＩＴＵ−ＴによるＥ．１６４勧告に基づく電話番号をＥＮＵＭ形式のドメイン名に変換し、変換したドメイン名をＥＮＵＭ用のＤＮＳに送って問い合せることにより、通信相手が利用可能な通信手段と該通信手段に対応付けられたアドレス等の情報をＵＲＩ形式で得ることが可能である。
【特許文献１】特開２００３−０６０８３６号公報
【特許文献２】特開２０００−１８４１１８号公報
【特許文献３】特開２００２−０４４３５７号公報
【発明の開示】
【発明が解決しようとする課題】
【００１４】
ところで、上記特許文献１乃至特許文献３は、通信相手の宛先情報を登録する際、通信相手の電話番号に基づきＥＮＵＭと連動して通信相手が利用可能な通信手段及び通信手段に対応したアドレス情報等を取得し、取得したこれらの情報を通信相手の宛先情報として登録し、登録した通信相手の宛先情報に基づき通信相手を特定して通信するような構成を成していない。
【００１５】
そこで、本発明は、通信相手の宛先情報をＥＮＵＭと連動して登録可能なアドレス登録機能を有する利便性の高い情報通信装置および方法を提要することを目的とする。
【課題を解決するための手段】
【００１６】
上記目的を達成するため、請求項１の発明は、通信相手の宛先情報を登録するアドレス帳を備えた情報通信装置において、前記通信相手の電話番号を入力する電話番号入力手段と、前記電話番号入力手段で入力した該電話番号をキーとしてＤＮＳサーバに問い合わせることにより前記通信相手の電話番号に対応した少なくとも１つののＮＡＰＴＲリソースレコードを取得するＤＮＳ問合せ手段と、前記ＤＮＳ問い合わせ手段により取得したＮＡＰＴＲリソースレコードから通信手段、及びアドレスの宛先情報を抽出する宛先情報抽出手段と、前記宛先情報抽出手段で抽出した通信手段のうちの適合する通信手段を選択する適合通信選択手段と、前記適合通信選択手段で選択された通信手段と該通信手段に対応したアドレスを前記アドレス帳へ前記通信相手の宛先情報として登録する登録手段とを具備することを特徴とする。
【００１７】
また、請求項２の発明は、請求項１の発明において、前記適合通信選択手段で選択された通信手段を表示する適合通信表示手段と、前記適合通信表示手段で表示された通信手段の中から前記アドレス帳へ登録する該通信手段を選択する通信選択手段とを更に具備し、前記通信選択手段で選択された通信手段と該通信手段に対応したアドレスを前記アドレス帳へ前記通信相手の宛先情報として登録することを特徴とする。
【００１８】
また、請求項３の発明は、請求項１の発明において、前記適合通信選択手段で選択された通信手段に優先順位付けを行う優先順位付手段を更に具備し、前記適合通信選択手段で選択された通信手段を前記優先順位付手段で優先順位付けした該通信手段と該通信手段に対応したアドレスを前記アドレス帳へ前記通信相手の宛先情報として登録することを特徴とする。
【００１９】
また、請求項４の発明は、請求項３の発明において、前記優先順位付手段は、前記通信相手が設定した通信手段に付けられた優先順位に基づき前記適合通信選択手段で選択された通信手段に優先順位付けを行うことを特徴とする。
【００２０】
また、請求項５の発明は、請求項１乃至４のいずれかの発明において、前記登録手段で登録された前記通信相手の宛先情報に基づき前記通信手段に対応した通信サービスを選択し、前記通信手段に優先順位付けられた優先順位で前記通信手段に対応したアドレスへ通信することを特徴とする。
【００２１】
また、請求項６の発明は、通信相手の宛先情報を登録するアドレス帳を備えた情報通信装置の情報通信方法において、前記通信相手の電話番号を電話番号入力手段により入力し、前記電話番号入力手段で入力した該電話番号をキーとしてＤＮＳサーバに問い合わせることにより前記通信相手の電話番号に対応した少なくとも１つのＮＡＰＴＲリソースレコードをＤＮＳ問合せ手段により取得し、前記ＤＮＳ問い合わせ手段により取得したＮＡＰＴＲリソースレコードから通信手段、及びアドレスの宛先情報を宛先情報抽出手段により抽出し、前記宛先情報抽出手段で抽出した前記通信手段のうちの適合する通信手段を適合通信選択手段により選択し、前記適合通信選択手段で選択された通信手段と該通信手段に対応したアドレスを前記アドレス帳へ前記通信相手の宛先情報として登録することを特徴とする。
【００２２】
また、請求項７の発明は、請求項６の発明において、前記適合通信選択手段で選択された通信手段を更に適合通信表示手段により表示し、前記適合通信表示手段で表示された通信手段の中から前記アドレス帳へ登録する該通信手段を更に通信選択手段により選択し、前記通信選択手段で選択された通信手段と該通信手段に対応したアドレスを前記アドレス帳へ前記通信相手の宛先情報として登録することを特徴とする。
【００２３】
また、請求項８の発明は、請求項６の発明において、前記適合通信選択手段で選択された通信手段に対して更に優先順位付手段により優先順位付けを行い、前記適合通信選択手段で選択された通信手段を前記優先順位付手段で優先順位付けした該通信手段と該通信手段に対応したアドレスを前記アドレス帳へ前記通信相手の宛先情報として登録することを特徴とする。
【００２４】
また、請求項９の発明は、請求項８の発明において、前記優先順位付手段は、前記通信相手が設定した通信手段に付けられた優先順位に基づき前記適合通信選択手段で選択された通信手段に優先順位付けを行うことを特徴とする。
【００２５】
また、請求項１０の発明は、請求項６乃至９のいずれかの発明において、前記登録手段で登録された前記通信相手の宛先情報に基づき前記通信手段に対応した通信サービスを選択し、前記通信手段に優先順位付けられた優先順位で前記通信手段に対応したアドレスへ通信することを特徴とする。
【発明の効果】
【００２６】
本発明の情報通信装置および方法によれば、通信相手の電話番号を電話番号入力手段により入力し、入力した電話番号をキーとしてＤＮＳサーバに問い合わせることにより通信相手の電話番号に対応した少なくとも１つのＮＡＰＴＲリソースレコードをＤＮＳ問合せ手段により取得し、更に取得したＮＡＰＴＲリソースレコードから通信手段、及びアドレスの宛先情報を宛先情報抽出手段により抽出し、抽出した通信手段のうちの適合する通信手段を適合通信選択手段により選択し、選択された通信手段と該通信手段に対応したアドレスをアドレス帳へ通信相手の宛先情報として登録するように構成したので、アドレス帳へ通信相手の宛先情報を登録する際の誤登録を防止し、ユーザの入力の手間を省くことが可能となる。
【００２７】
また、適合通信選択手段で選択された通信手段を更に適合通信表示手段により表示し、表示された通信手段の中からアドレス帳へ登録する通信手段を更に通信選択手段により選択し、選択された通信手段に対して更に優先順位付手段により優先順位付けを行い、適合通信選択手段で選択された通信手段を優先順位付手段で優先順位付けした該通信手段と該通信手段に対応したアドレスをアドレス帳へ通信相手の宛先情報として登録するように構成したので、ユーザが通信相手と通信する所望の通信手段を選択して登録することができ、また、通信相手が設定した通信手段の優先順位付けの意向を反映した登録ができるで、不必要な通信手段の登録を防止するとともに通信相手が希望する通信手段で通信を行うことができる。
【００２８】
更に、登録手段で登録された通信相手の宛先情報に基づき通信手段に対応した通信サービスを選択し、通信手段に優先順位付けられた優先順位で通信手段に対応したアドレスへ通信するように構成したので、ＤＮＳ等のサーバがダウン等の不具合が生じた場合であっても、登録された通信手段及び通信手段に対応したアドレス情報に基づき通信を行うことができるという効果を奏する。
【発明を実施するための最良の形態】
【００２９】
以下、本発明に係わる情報通信装置の一実施例について添付図面を参照して詳細に説明する。
【００３０】
図１は本発明に係わる情報通信装置１００の接続状態の一例を示した概略図である。
【００３１】
図１に示すように、情報通信装置１００は、インターネット１８０や公衆網電話回線（ＰＳＴＮ）２００と接続されており、インターネット１８０には電子メール通信が可能なコンピュータ４０及びインターネットＦＡＸ装置（＝ｉＦＡＸ）５０等の各端末装置が接続され、公衆網電話回線（ＰＳＴＮ）２００には、電話機１０や図示せぬＦＡＸ装置等の各種端末装置が接続されている。
【００３２】
また、インターネット１８０には、本発明に係わる情報通信方法を実現可能とするＥＮＵＭ技術を適用したＥＮＵＭシステム６０が接続され、ＥＮＵＭシステム６０を構成するＥＮＵＭ用のＤＮＳ１９０（以下、「ＥＮＵＭ用ＤＮＳ１９０」という。）と接続されている。
【００３３】
ここで言うＥＮＵＭとは、ＩＴＵ−ＴのＥ．１６４勧告に基づく電話番号をキーとしてＥＮＵＭ用ＤＮＳ１９０に登録されたＮＡＰＴＲ（Ｎａｍｉｎｇ  Ａｕｔｈｏｒｉｔｙ  Ｐｏｉｎｔｅｒ）−ＲＲ（＝Ｒｅｓｏｕｒｃｅ  Ｒｅｃｏｒｄ）を検索し、Ｅ．１６４勧告に基づく電話番号に対応するひとつまたは複数のアプリケーションをＵＲＩ（＝Ｕｎｉｆｏｒｍ  Ｒｅｓｏｕｒｃｅ  Ｉｄｅｎｔｉｆｉｅｒｓ）形式で得る機構である。
【００３４】
ＮＡＰＴＲ−ＲＲは、電話番号に基づくドメイン名に対応付けられた通信種別、例えば通信プロトコル等の種別や通信相手のアドレス等の情報を記録したものであり、詳細は後述する。
【００３５】
また、ＥＮＵＭは、現在、ＥＮＵＭ仕様の検討及び標準化がＩＥＴＦ（＝Ｉｎｔｅｒｎｅｔ  Ｅｎｇｉｎｅｅｒｉｎｇ  Ｔａｓｋ  Ｆｏｒｃｅ）のＥＮＵＭワーキンググループを中心に進められており、本発明に係わる情報通信装置１００で適用されるＥＮＵＭは、ＩＥＴＦのＥＮＵＭの仕様に準拠するものである。
【００３６】
ＥＮＵＭにより、ひとつのＥ．１６４に基づく電話番号をインターネット１８０上の利用可能なひとつまたは複数のアプリケーションに対応付けることができることから、Ｅ．１６４に基づく電話番号に対する電話以外の通信手段を統合的に提供することが可能となる。
【００３７】
図１に示すように、情報通信装置１００は、通信相手のＥ．１６４に基づく電話番号に基づきＥＮＵＭ用ＤＮＳ１９０に登録された通信相手の端末装置が利用可能な通信手段及びアドレス等の情報が記録されたＮＡＰＴＲ−ＲＲ情報を参照し、通信相手の端末装置に相応しい通信手段に対応したアプリケーションを起動して通信相手の端末装置と通信を行うことを可能にする。
【００３８】
具体的には、例えば情報通信を行いたい通信相手の電話番号に対応付けられたドメイン名に基づきＥＮＵＭ用ＤＮＳ１９０に問い合わせを行うと、ＥＮＵＭ用ＤＮＳ１９０からドメイン名に対応付けられたＮＡＰＴＲ−ＲＲ情報が返信される。
【００３９】
ＮＡＰＴＲ−ＲＲ情報に基づき、例えば「ｓｉｐ：ｉｎｆｏ＠ｎｉｃ．ａｄ．ｊｐ」というＵＲＩを得たとすると、これによりアプリケーションプログラムは、「ｓｉｐ：ｉｎｆｏ＠ｎｉｃ．ａｄ．ｊｐ」に対してＳＩＰを用いて通信相手の端末装置とのセッションを確立することが可能であることを認識することができる。
【００４０】
また、通信相手の端末装置がインターネットＦＡＸ通信をサポートしているならば情報通信装置１００は、例えばインターネットＦＡＸ通信が可能なアプリケーションやプロトコル等を起動してインターネットＦＡＸ通信を行う。
【００４１】
なお、アプリケーションには、電話、ＳＩＰ、Ｈ．３２３、ファクシミリ、電子メール、インスタントメッセンジャー、インターネット電話、電子メール、ＷＷＷ等が想定される。
【００４２】
このような情報通信が可能な情報通信装置１００の構成について図２を参照して詳細に説明する。
【００４３】
図２は，本発明に係わる情報通信装置１００の構成例を示すブロック図である。
【００４４】
図２に示すように、情報通信装置１００は、ＥＮＵＭを利用し、公衆網電話回線２００及びインターネット１８０を介して情報の送受信が可能なように構成されており、インターネット１８０にはＥＮＵＭが利用可能なようにＥ．１６４の電話番号に基づくドメイン名に対応したＮＡＰＴＲ−ＲＲ情報を提供するＥＮＵＭ用ＤＮＳ１９０が接続されている。
【００４５】
情報通信装置１００は、情報通信装置１００の全体を統括制御するシステム制御部１０１と、所定の解像度で原稿画像を読み取るスキャナ部１０２と、所定の解像度で画像を記録出力するプリンタ部１０３と、情報通信装置１００の操作で使用される各種操作キーおよび各種表示部をもつ操作／表示部１０４と、スキャナ部１０２から読み込まれた画像または、受信した画像を蓄積する画像蓄積部１０５と、システムデータや通信相手先のアドレス等を記憶するＲＡＭ（＝Ｒａｎｄｏｍ  Ａｃｃｅｓｓ  Ｍｅｍｏｒｙ）１０６と、画像データに対する符号化、復号化、拡大、縮小等の処理を行う画像処理部１１０と、ファイルフォーマットの変換処理を行うファイル変換部１１１と、公衆網電話回線２００を介して画情報の送受信の処理を行うＦＡＸ部１２０と、電子メールプロトコルを用いて画情報等の送受信の処理を行う電子メール部１４０と、インターネット１８０を介してＥＮＵＭ用ＤＮＳ１９０との間で送受信される情報の処理及び送受信の制御を行うＥＮＵＭ用ＤＮＳ処理部１５０とを備え、これら各部の制御信号及びデータ信号等がバス１０７を介して送受される。
【００４６】
なお、電子メール部１４０はスキャンした画情報を指定された宛先に指定されたファイルフォーマットで電子メール送信するサービス(＝Ｓｃａｎ  ｔｏ  Ｅｍａｉｌ)に加え、ＩＴＵ−Ｔ勧告Ｔ．３７のｉＦＡＸ通信サービスの画情報送受信もサポートする。
【００４７】
また、情報通信装置１００は、インターネット１８０のトランスポート層とネットワーク層のプロトコル制御を行うＴＣＰ（＝Ｔｒａｎｓｍｉｓｓｉｏｎ  Ｃｏｎｔｒｏｌ  Ｐｒｏｔｏｃｏｌ）／ＵＤＰ（＝Ｕｓｅｒ  Ｄａｔａｇｒａｍ  Ｐｒｏｔｏｃｏｌ）／ＩＰ（＝Ｉｎｔｅｒｎｅｔ  Ｐｒｏｔｏｃｏｌ）制御部１０８と、データリンク層以下の通信制御を行うネットワークインタフェース１０９を備えており、情報通信装置１００とインターネット１８０とは、ネットワーク１７０を介して接続されている。
【００４８】
ネットワーク１７０は、例えばＬＡＮ（＝Ｌｏｃａｌ  Ａｒｅａ  Ｎｅｔｗｏｒｋ）等のネットワークであり、ネットワーク１７０には、インターネット１８０と情報通信装置１００とが情報の送受信可能なように必要な図示せぬサーバ等が設置され、サーバがネットワーク１７０に接続された情報通信装置１００や各端末装置の管理等を行っている。
【００４９】
ＦＡＸ部１２０は、画情報の送受信時に画像の解像度、サイズ、符号則等を変換処理する通信画像処理部１２１と、ＩＴＵ−Ｔ勧告Ｔ．３０が規定するプロトコル制御を行うＴ３０制御部１２２と、アナログ信号とデジタル信号の変復調を行うモデム１２３と、公衆網電話回線２００との接続制御を行うＮＣＵ（＝Ｎｅｔｗｏｒｋ  Ｃｏｎｔｒｏｌ  Ｕｎｉｔ）１２５を備えている。
【００５０】
電子メール部１４０は、画情報の送受信時に画像の解像度、サイズ、符号則等を変換処理する通信画像処理部１４１と、既存の電子メール及びｉＦＡＸの送受信制御を行うためのメールプロトコル(ＳＭＴＰ、ＥＳＭＴＰ、ＰＯＰ等)制御を行うメールプロトコル制御部１４３を備えている。
【００５１】
前記通信画像処理部１４１を備えることにより、メールサーバーを介さずに通信相手の端末装置と直接通信を行うリアルタイム型のｉＦＡＸ通信方式(ＩＥＴＦで制定されつつあるＤｉｒｅｃｔ  ＳＭＴＰ方式)もサポート可能である。
【００５２】
ＥＮＵＭ用ＤＮＳ処理部１５０は、ＥＮＵＭと連動してＥＮＵＭ用ＤＮＳ１９０に対して問い合わせを行い、問い合わせに対してＥＮＵＭ用ＤＮＳ１９０から返信されてくるＮＡＰＴＲ−ＲＲ情報を受信し、受信した情報に基づき後述する各種処理を行う。
【００５３】
このように構成された情報通信装置１００で情報通信を行う場合の処理動作について、画情報を送信する場合を例に簡単に説明すると次のような動作となる。
【００５４】
例えば、図示せぬユーザは、まず、送信する画情報の原稿を情報通信装置１００の図示せぬ原稿台へ置き、画情報を送信する通信相手の電話番号または通信手段及び通信手段に対応したアドレス情報を操作／表示部１０４に配置された図示せぬテンキーや各種機能キーを押下して入力するか、または後述するアドレス帳に登録された通信相手の登録番号を選択して通信相手の電話番号または各通信手段を指定する。
【００５５】
ＥＮＵＭと連動することなく画情報をファックス送信する場合は、入力された電話番号または選択された登録番号に対応した電話番号や通信手段に基づき、通信相手が利用可能な通信手段が公衆網電話回線２００を介したＦＡＸ通信の場合は、システム制御部１０１の命令指示によってスキャナ部１０２で取り込まれた画像データに対し画像処理部１１０で画像処理を施した後、画像蓄積部１０５を経由してＦＡＸ部１２０に送られ、ＦＡＸ部１２０内のＮＣＵ１２４を介して公衆網電話回線２００へ送られてファックス通信が行われる。
【００５６】
また、通信相手が利用可能な通信手段がインターネット１８０を介したｉＦＡＸ通信場合は、システム制御部１０１の命令指示によってスキャナ部１０２で取り込まれた画像データに対し画像処理部１１０で画像処理を施した後、画像蓄積部１０５を経由し、ファイル変換部１１１でファイルフォーマット変換、ＭＩＭＥエンコードして、電子メール部１４０に送られ、通信手段に対応したプロトコル制御が行われた後、ＴＣＰ／ＵＤＰ／ＩＰ制御部１０８、ネットワークインタフェース１０９、ネットワーク１７０を介してインターネット１８０へ送られてｉＦＡＸ通信が行われる。
【００５７】
ＥＮＵＭと連動して画情報をファックス送信する場合は、操作／表示部１０４で通信相手の電話番号の入力前後において、図示せぬＥＮＵＭボタンが押下されることにより、ＥＮＵＭと連動して通信相手の端末装置が利用可能な通信手段及び通信手段に対応したアドレス情報を取得し、取得した通信手段及びアドレス情報の基づき画情報の送信が行われる。
【００５８】
具体的には、通信相手の電話番号の入力前後において、図示せぬＥＮＵＭボタンが押下されると、入力された電話番号またはアドレス帳に登録された電話番号が、システム制御部１０１によってＥＮＵＭ用ＤＮＳ処理部１５０に送られ、ＥＮＵＭ用ＤＮＳ処理部１５０によって電話番号がＥＮＵＭ形式のドメイン名に変換され、変換されたドメイン名がＴＣＰ／ＵＤＰ／ＩＰ制御部１０８とネットワークインタフェース１０９及びネットワーク１７０を介してインターネット１８０に接続されたＥＮＵＭ用ＤＮＳ１９０に送信されてドメイン名に対応したＮＡＰＴＲ−ＲＲ情報が参照される。
【００５９】
ＥＮＵＭ用ＤＮＳ処理部１５０が電話番号をＥＮＵＭ形式のドメイン名に変換する方法は、具体的には、例えば、電話番号が「０３−５２９７−２３１１」とすると、日本の市外局番から始まる電話番号を基に、先頭の「０」を削除し、Ｅ．１６４番号規定に基づき日本国の国コード「８１」を付加して数字以外の記号を除いて数字間にドット「．」を付加した「８．１．３．５．２．９．７．２．３．１．１」に変換し、更に数字を逆順にして末尾に文字列「．ｅ１６４．ａｒｐａ」を付加した「１．１．３．２．７．９．２．５．３．１．８．ｅ１６４．ａｒｐａ」の文字列のドメイン名に変換する。
【００６０】
情報通信装置１００からのドメイン名に対応するＮＡＰＴＲ−ＲＲ情報の問い合わせに対してＥＮＵＭ用ＤＮＳ１９０は、ＥＮＵＭ用ＤＮＳ１９０に登録されているドメイン名を参照し、情報通信装置１００から送信されたドメイン名に対応するＮＡＰＴＲ−ＲＲ情報を情報通信装置１００に返信する。  
ＥＮＵＭ用ＤＮＳ１９０から返信されたドメイン名に対応するＮＡＰＴＲ−ＲＲ情報は、インターネット１８０及びネットワーク１７０を介して情報通信装置１００のネットワークインタフェース１０９へ入力され、更にＴＣＰ／ＵＤＰ／ＩＰ制御部１０７を介してＥＮＵＭ用ＤＮＳ処理部１５０へ入力される。
【００６１】
情報通信装置１００から送信されたドメイン名に対応するＮＡＰＴＲ−ＲＲ情報は、具体的には、例えば、電話番号に対応する通信相手の端末装置が利用可能な通信手段（例えば通信プロトコルの種別等の情報）や通信手段に対応したアドレス情報及び各通信手段の優先順位等の情報である。
【００６２】
ＥＮＵＭ用ＤＮＳ処理部１５０は、ＥＮＵＭ用ＤＮＳ１９０から返信されたＮＡＰＴＲ−ＲＲ情報に基づき、通信相手が通信可能な通信手段と該通信手段を使用した場合の通信先のアドレス情報等をＵＲＩ形式で取り出し、さらに、通信手段の優先順位が設定されている場合には、その優先順位を取り出してシステム制御部１０１の命令指示に基づき通信相手の通信手段とアドレス及び優先順位を操作／表示部１０４へ送信したり、後述する通信相手の電話番号及び通信手段に対応したアドレス情報を記憶するアドレス帳等を記憶するＲＡＭ１０６へ送信する。
【００６３】
これらの情報が表示された操作／表示部１０４において、ユーザが所望の通信手段を選択すると、ユーザが選択した通信手段で通信が可能なように当該通信手段のプロトコル等を起動し、アドレス情報に示した宛先へ画情報の送信が行われる。
【００６４】
なお、情報通信装置１００の通信相手は、一般の公衆網電話回線２００に接続された電話１０やファクシミリ装置、インターネット１８０に接続されたインターネットファクシミリ装置５０、コンピュータ４０等及び種々のネットワークに接続された端末装置等である。
【００６５】
ところで、本発明に係わる情報通信装置１００は、ＥＮＵＭと連動して通信相手の電話番号や通信相手の端末装置が利用可能な各通信手段と各通信手段に対応したアドレス及び各通信手段の優先順位等の情報を記憶するアドレス帳機能を有している。  
この本発明に係わるアドレス帳機能は、通信相手の電話番号登録時において、ＥＮＵＭ用ＤＮＳ１９０に問い合わせを行い、通信相手の端末装置がサポートする通信サービスに適合する通信手段や各通信手段のアドレス情報を取得して、ユーザがシステムデータで予め設定した優先順位で自動的にアドレス帳に登録する「優先順位設定型ＥＮＵＭアドレス自動登録機能」と、通信相手の端末装置がサポートする通信サービスに適合する通信手段の中から所望する通信手段をユーザが優先順位を付けて選択し、通信手段のアドレス情報とともにアドレス帳に登録する「優先順位設定型ＥＮＵＭアドレス手動登録機能」と、通信手段や各通信手段の優先順位及びアドレス等の情報全てをユーザが入力する「手動登録機能」を有している。
【００６６】
また、更に、本発明に係わるアドレス帳機能は、通信相手の電話番号登録時において、ＥＮＵＭと連動してＥＮＵＭ用ＤＮＳ１９０に問い合わせを行い、通信相手の端末装置がサポートする通信サービスに適合する通信手段や各通信手段のアドレス情報を通信相手が設定した優先順位付けを反映してアドレス帳に自動登録する「優先順位反映型ＥＮＵＭアドレス自動登録機能」と、通信相手の端末装置がサポートする通信サービスに適合する通信手段の中から所望する通信手段を通信相手が設定した優先順位付けを反映させてユーザが選択し、通信手段のアドレス情報とともにアドレス帳に登録する「優先順位反映型ＥＮＵＭアドレス手動登録機能」を有している。
【００６７】
これらの機能を動作させるための情報通信装置１００の処理動作について図３に示すフローチャートを参照して説明する。
【００６８】
図３に示すように、ユーザが情報通信装置１００の操作／表示部１０４に配置された図示せぬアドレス帳登録機能キーを押下すると、アドレス帳登録機能が開始され（ステップＳ３００）、アドレス帳に登録された図示せぬ登録番号選択画面が表示される（ステップＳ３０１）。
【００６９】
アドレス帳の登録番号選択画面で通信相手の電話番号や各通信手段を登録するアドレス帳の登録番号を選択すると、後述する登録メニュー画面が表示される（ステップＳ３０２）。
【００７０】
表示された登録メニュー画面で通信相手の名称及び電話番号を入力し、ＥＮＵＭを利用した自動登録または手動登録を選択するか、ＥＮＵＭを利用しない手動登録を選択する（ステップＳ３０３）。
【００７１】
ステップＳ３０３において、ＥＮＵＭを利用しない手動登録を選択した場合は（ステップＳ３０４でＮＯ）、ＥＮＵＭ手動登録処理が行われる（ステップＳ３１２）。
【００７２】
このＥＮＵＭ手動登録処理では、ユーザがアドレス帳に登録したい通信相手の電話番号や、電話番号以外の通信手段及び通信手段に対応したアドレス等の情報を全てユーザが入力する。
【００７３】
また、優先順位付けした複数の通信手段を入力したい場合は、通信手段に優先順位付けして登録することができる。
【００７４】
ステップＳ３０３において、ＥＮＵＭを利用した自動登録または手動登録を選択した場合は（ステップＳ３０３でＹＥＳ）、ユーザが入力した通信相手の電話番号に基づきＥＮＵＭ用ＤＭＳ１９０に対して通信相手の電話番号に対応付けられた通信手段や通信手段の優先順位及びアドレス等の情報を取得する為にＥＮＵＭ用ＤＭＳへの問い合わせ処理を行う（ステップＳ３０５）。  
ＥＮＵＭ用ＤＭＳ１９０に対する問い合わせの結果に基づき、通信相手の電話番号に対応付けられた通信手段やアドレス等の情報が取得できなかった場合（ステップＳ３０６でＮＯ）、すなわち、ＥＮＵＭ用ＤＭＳ１９０に通信相手の電話番号に対応するＮＡＰＴＲ−ＲＲ情報が登録されていない場合は、「宛先は、ＥＮＵＭに登録されていません。」等のエラーメッセージを表示（ステップＳ３０８）後、登録メニュー画面の表示へ戻る（ステップＳ３０２）。
【００７５】
ＥＮＵＭ用ＤＭＳ１９０に対する問い合わせにより通信相手の電話番号に対応付けられた通信手段と通信手段の優先順位及びアドレス等の情報を取得し、取得した通信手段が情報通信装置１００が提供するサービスに適合する通信手段であるか否かを判別し、適合しないと判別した場合は（ステップＳ３０７でＮＯ）、「宛先は、適合するサービスがありません。」等のエラーメッセージ表示（ステップＳ３０８）後、登録メニュー画面の表示へ戻る（ステップＳ３０２）。
【００７６】
取得した通信相手の通信手段が情報通信装置１００が提供するサービスに適合する通信手段であると判別した場合は（ステップＳ３０７でＹＥＳ）、ユーザが選択したＥＮＵＭを利用した自動登録またはＥＮＵＭを利用した手動登録に応じてＥＮＵＭ自動登録処理またはＥＮＵＭ手動登録処理を行う。
【００７７】
ユーザによってＥＮＵＭを利用した自動登録が選択されていた場合は（ステップＳ３０９でＹＥＳ）、ＥＮＵＭ用ＤＭＳ１９０に対する問い合わせにより取得した通信相手の電話番号に対応付けられた通信手段や通信手段のアドレス等の情報をＲＡＭ１０６の図示せぬアドレス帳に登録するＥＮＵＭ自動登録処理を行う（ステップＳ３１０）。
【００７８】
ユーザによってＥＮＵＭを利用した手動登録が選択されていた場合は（ステップＳ３０９でＮＯ）、ＥＮＵＭ用ＤＭＳ１９０に対する問い合わせにより取得した通信相手の電話番号に対応付けられた通信手段を操作／表示部１０４に表示させ、ユーザが所望する通信手段を選択して通信手段のアドレス等の情報とともにＲＡＭ１０６の図示せぬアドレス帳に登録するＥＮＵＭ手動登録処理を行う（ステップＳ３１１、ステップＳ３１２）。
【００７９】
ユーザが入力した宛先情報が、ユーザが選択したアドレス帳の各登録方法に応じた登録処理によってアドレス帳に登録されると、アドレス帳登録処理は終了する（ステップＳ３１４）。
【００８０】
このような情報通信装置１００の処理動作により動作する優先順位設定型ＥＮＵＭアドレス自動登録機能と、優先順位設定型ＥＮＵＭアドレス手動登録機能と、優先順位反映型ＥＮＵＭアドレス自動登録機能と、優先順位反映型ＥＮＵＭアドレス手動登録機能の各処理動作について図４乃至図１７を参照し詳細に説明する。
【００８１】
図４は、アドレス帳の登録番号に対応した登録メニュー画面４００を示す図である。
【００８２】
登録メニュー画面４００は、前述したように、ユーザが操作／表示部１０４で図示せぬアドレス帳ボタンを押下し、通信相手の電話番号や通信手段等を登録するアドレス帳の登録番号を選択することで、登録メニュー画面４００が操作／表示部１０４に表示される。
【００８３】
図４に示すように、登録メニュー画面４００は、通信相手の名称及び電話番号を入力する「宛先名」欄４０２と「宛先番号」欄４０３の入力欄と、優先順位設定型、または優先順位反映型のＥＮＵＭアドレス自動登録機能を動作させる「ＥＮＵＭ自動登録」ボタン４０４と、優先順位設定型、または優先順位反映型のＥＮＵＭアドレス手動登録機能を動作させる「ＥＮＵＭ手動登録」ボタン４０５と、手動登録機能を動作させる「手動登録」ボタン４０６と、入力データ及び各機能ボタン４０４、４０５、４０６の選択を無効とする「ＣＡＮＣＥＬ」ボタン４０７が表示されており、ユーザは、アドレス帳に登録したい通信相手の「宛先名」及び「宛先番号」を図示せぬテンキー等で入力後、「ＥＮＵＭ自動登録」ボタン４０４、「ＥＮＵＭ手動登録」ボタン４０５、「手動登録」ボタン４０６のうちの所望する何れかのボタンを選択する。
【００８４】
なお、操作／表示部１０４に表示される登録メニュー画面４００等の各種画面はタッチパネル式となっており、画面上に表示されているボタン４０４、４０５、４０６及び４０７を指等でタッチすることで該ボタンに登録されている機能が実行できる。
【００８５】
ユーザが、通信相手をＥＮＵＭと連動して通信相手の電話番号及び各通信手段や各通信手段のアドレス等の情報をアドレス帳に登録する場合は、「ＥＮＵＭ自動登録」ボタン４０４または「ＥＮＵＭ手動登録」ボタン４０５のうちの何れかのボタンをタッチし、ＥＮＵＭと連動することなく電話番号及び各通信手段や各通信手段の優先順位及びアドレス等の情報の全てをユーザが入力する場合は、「手動登録」を選択する。
【００８６】
なお、「ＥＮＵＭ自動登録」ボタン４０４は、通信相手をＥＮＵＭと連動して通信相手の電話番号に対応した各通信手段、各通信手段のアドレス等の情報をアドレス帳に自動登録する優先順位設定型、または優先順位反映型のＥＮＵＭアドレス自動登録機能を動作させたい場合に選択し、「ＥＮＵＭ手動登録」ボタン４０５は、通信相手をＥＮＵＭと連動して通信相手の電話番号に対応した各通信手段、各通信手段のアドレス等の情報をユーザが選択してアドレス帳に登録する優先順位設定型、または優先順位反映型のＥＮＵＭアドレス手動登録機能を動作させたい場合に選択する。
【００８７】
図５は、登録メニュー画面４００において、「優先順位設定型ＥＮＵＭアドレス自動登録機能」を動作させるための操作を示す操作画面５００を示す図である。
【００８８】
図５の操作画面５００に示すように、操作／表示部１０４に表示された登録メニュー画面４００でユーザがアドレス帳に登録する通信相手の宛先名を例えば「富士  太郎」４０２及び宛先番号を例えば「０３−１２３４−５６７８」４０３と入力し、「ＥＮＵＭ自動登録」ボタン４０４をタッチすると、情報通信装置１００は、ＥＮＵＭ用ＤＮＳ１９０に対して宛先番号「０３−１２３４−５６７８」４０３に対応する問い合わせを行い、端末装置が利用可能な通信手段、アドレスを取得する。
【００８９】
このＥＮＵＭ用ＤＮＳ１９０に対する問い合わせ処理は、ＥＮＵＭ用ＤＮＳ処理部１５０が主に行い、入力された宛先番号「０３−１２３４−５６７８」４０３のデータがシステム制御部１０１の命令指示により操作／表示部１０４からバス１０７を介してＥＮＵＭ用ＤＮＳ処理部１５０に送られ、ＥＮＵＭ用ＤＮＳ処理部１５０が入力された宛先番号「０３−１２３４−５６７８」４０３をＥＮＵＭ形式のドメイン名に変換する。
【００９０】
宛先番号「０３−１２３４−５６７８」４０３をＥＮＵＭ形式のドメイン名へ変換する方法は、前述した変換方法と同様に、日本の市外局番から始まる電話番号を基に、宛先番号「０３−１２３４−５６７８」４０３の先頭の「０」を削除し、Ｅ．１６４番号規定に基づき日本国の国コード「８１」を付加して数字以外の記号を除いて数字間にドット「．」を付加した「８．１．３．１．２．３．４．５．６．７．８」に変換後、更に数字を逆順にして末尾に文字列「．ｅ１６４．ａｒｐａ」を付加した「８．７．６．５．４．３．２．１．３．１．８．ｅ１６４．ａｒｐａ」の文字列のドメイン名に変換する。
【００９１】
ＥＮＵＭ用ＤＮＳ処理部１５０によって宛先番号「０３−１２３４−５６７８」４０３がＥＮＵＭ形式のドメイン名「８．７．６．５．４．３．２．１．３．１．８．ｅ１６４．ａｒｐａ」に変換されると、変換されたドメイン名がＴＣＰ／ＵＤＰ／ＩＰ制御部１０８とネットワークインタフェース１０９及びネットワーク１７０を介してインターネット１８０に接続されたＥＮＵＭ用ＤＮＳ１９０に送信されてドメイン名「８．７．６．５．４．３．２．１．３．１．８．ｅ１６４．ａｒｐａ」に対応したＮＡＰＴＲ−ＲＲ情報の問い合わせを行う。
【００９２】
ＥＮＵＭ用ＤＮＳ１９０には、図６に示すようなＩＴＵ−ＴのＥ．１６４勧告に基づく電話番号に対応したドメイン名と、ドメイン名に対応付けられた各通信手段と各通信手段に対応したアドレス及び通信手段の優先順位等の情報を記録したＮＡＰＴＲ−ＲＲ情報６００が図示せぬデータベースに登録されている。
【００９３】
図６は、ＥＮＵＭ用ＤＮＳ１９０に登録されたＮＡＰＴＲ−ＲＲ情報６００の一例を示す図である。
【００９４】
図６に示すように、ＥＮＵＭ用ＤＮＳ１９０に登録されたＮＡＰＴＲ−ＲＲ情報６００は、一つのドメイン名に対して複数のリソースレコードが定義できるように構成されている。
【００９５】
具体的には、ＮＡＰＴＲ−ＲＲ情報６００の書式は、「＄ＯＲＩＧＩＮ」行と、「ＩＮ  ＮＡＰＴＲ」行とで構成され、「＄ＯＲＩＧＩＮ」行にはドメイン名、「ＩＮ  ＮＡＰＴＲ」行には、「＄ＯＲＩＧＩＮ」行のドメイン名に対応付けられた通信手段のプロトコル・サービスと、アドレス及び通信手段の優先順位等の情報を記録して登録可能なように構成されている。
【００９６】
例えば、ドメイン名「８．７．６．５．４．３．２．１．３．１．８．ｅ１６４．ａｒｐａ」に対応したＮＡＰＴＲ−ＲＲ情報６５０は、ドメイン名を示す「＄ＯＲＩＧＩＮ」行６０１の「８．７．６．５．４．３．２．１．３．１．８．ｅ１６４．ａｒｐａ」というひとつのドメイン名に対してリソースレコードを示す複数の「ＩＮ  ＮＡＰＴＲ」行６１、６２、６３が記録されて登録されている。
【００９７】
「ＩＮ  ＮＡＰＴＲ」行の書式は、「ＩＮ  ＮＡＰＴＲ  ｏｒｄｅｒ  ｐｒｅｆｅｒｅｎｃｅ  ｆｌａｇｓ  ｓｅｒｖｉｃｅ  ｒｅｇｅｘｐ  ｒｅｐｌａｃｅｍｅｎｔ」等の書式で定義され、「ｏｒｄｅｒ」及び「ｐｒｅｆｅｒｅｎｃｅ」は、優先順位情報を示し、「ｏｒｄｅｒ」の値が小さい順に優先順位を高く、「ｏｒｄｅｒ」の値が同一の値が複数存在する場合は、「ｐｒｅｆｅｒｅｎｃｅ」の値が小さい順に優先順位が高いことを示している。
【００９８】
また、「ｓｅｒｖｉｃｅ」に定義される文字列は、プロトコル・サービスを示し、「ｒｅｇｅｘｐ」及び「ｒｅｐｌａｃｅｍｅｎｔ」は、アドレス情報を示している。
【００９９】
「ＩＮ  ＮＡＰＴＲ」行６１の「ＩＮ  ＮＡＰＴＲ  １００  １０  ”Ｕ”  ”  Ｅ２Ｕ＋ｉｆａｘ：ｍａｉｌｔｏ  ”  ”！＾．＊＄！ｍａｉｌｔｏ：ｉｎｆｏ−ｆａｘ＠ｉｆａｘ．ｃｏｍ！  ”．」は、「ｏｒｄｅｒ」が「１００」、「ｐｒｅｆｅｒｅｎｃｅ」が「１０」、「ｆｌａｇｓ」が「”Ｕ”」、「ｓｅｒｖｉｃｅ」が「  ”  Ｅ２Ｕ＋ｉｆａｘ：ｍａｉｌｔｏ  ”」６１１、「ｒｅｇｅｘｐ」が「”！＾．＊＄！ｍａｉｌｔｏ：ｉｎｆｏ−ｆａｘ＠ｉｆａｘ．ｃｏｍ！  ”」をそれそれ示しており、インターネットファックスプロトコルが利用可能でインターネットファックス通信を行う場合のアドレスが「ｉｎｆｏ−ｆａｘ＠ｉｆａｘ．ｃｏｍ」６１２であることを示している。
【０１００】
また、「ＩＮ  ＮＡＰＴＲ」行６２は、「”Ｅ２Ｕ＋ｍａｉｌｔｏ”」の電子メール通信のプロトコルが利用可能で電子メール通信を行う場合のアドレスが「ｉｎｆｏ−ｍａｉｌ＠ｍａｉｌ．ｃｏｍ！」６２２であることを示し、「ＩＮ  ＮＡＰＴＲ」行６３は、「”Ｅ２Ｕ＋ｔｅｌ”」のプロトコルが利用可能で公衆網電話回線２００を介したファックス通信を行う場合のアドレスが「８１３１２３４５６７８」６３２であることをそれぞれ示している。
【０１０１】
このように、ひとつのドメイン名６０１に対して複数の「ＩＮ  ＮＡＰＴＲ」行６１、６２、６３、・・・等に設定された通信手段が対応付けられて登録されている。
【０１０２】
情報通信装置１００からのドメイン名「８．７．６．５．４．３．２．１．３．１．８．ｅ１６４．ａｒｐａ」に対応するＮＡＰＴＲ−ＲＲ情報の問い合わせに対してＥＮＵＭ用ＤＮＳ１９０は、ＥＮＵＭ用ＤＮＳ１９０に登録されているＮＡＰＴＲ−ＲＲ情報６００を参照し、ドメイン名「８．７．６．５．４．３．２．１．３．１．８．ｅ１６４．ａｒｐａ」に対応するＮＡＰＴＲ−ＲＲ情報６５０の「＄ＯＲＩＧＩＮ」行６０のドメイン名「８．７．６．５．４．３．２．１．３．１．８．ｅ１６４．ａｒｐａ」６０１を検索し、ドメイン名「８．７．６．５．４．３．２．１．３．１．８．ｅ１６４．ａｒｐａ」６０１に対応付けられた複数の「ＩＮ  ＮＡＰＴＲ」行６１、６２、６３の情報をＮＡＰＴＲ−ＲＲ情報として情報通信装置１００に返信する。
【０１０３】
また、情報通信装置１００から送信されたドメイン名がＥＮＵＭ用ＤＮＳ１９０に登録されていない場合は、宛先番号がＥＮＵＭ用ＤＮＳ１９０に登録されていない旨の情報を情報通信装置１００に返信する。
【０１０４】
このようなＥＮＵＭ用ＤＮＳ１９０に対する問い合わせ処理の情報通信装置１００とＥＮＵＭ用ＤＮＳ１９０との間の問い合わせ情報及び応答情報の流れの手順を図で示すと図７のようになる。
【０１０５】
図７（ａ）に示すように、情報通信装置１００がＥＮＵＭ用ＤＮＳ１９０に対してユーザが入力した宛先番号４０３に対応したＥＮＵＭ形式のドメイン名６０１の問い合わせを行うことで、ＥＮＵＭ用ＤＮＳ１９０から情報通信装置１００へＮＡＰＴＲ−ＲＲ情報６５０が返信される。
【０１０６】
また、図７（ｂ）に示すように、情報通信装置１００のドメイン名６０１の問い合わせに対してドメイン名６０１に対応する情報がＥＮＵＭ用ＤＮＳ１９０に登録されていない場合は、「宛先は、ＥＮＵＭに登録されていない」旨の情報６５１がＥＮＵＭ用ＤＮＳ１９０から情報通信装置１００へ返信される。
【０１０７】
ＥＮＵＭ用ＤＮＳ１９０から返信されたドメイン名「８．７．６．５．４．３．２．１．３．１．８．ｅ１６４．ａｒｐａ」に対応するＮＡＰＴＲ−ＲＲ情報６５０は、インターネット１８０及びネットワーク１７０を介して情報通信装置１００のネットワークインタフェース１０９へ入力され、更にＴＣＰ／ＵＤＰ／ＩＰ制御部１０７を介してＥＮＵＭ用ＤＮＳ処理部１５０へ入力される。
【０１０８】
ＥＮＵＭ用ＤＮＳ１９０から返信されたＮＡＰＴＲ−ＲＲ情報６５０に記録された「ＩＮ−ＮＡＰＴＲ」行６１、６２、６３のそれぞれの「Ｅ２Ｕ＋ｉｆａｘ：ｍａｉｌｔｏ」６１１、「Ｅ２Ｕ＋ｍａｉｌｔｏ」６２１、「Ｅ２Ｕ＋ｔｅｌ」６３１のプロトコル情報と、「ｉｎｆｏ−ｆａｘ＠ｉｆａｘ．ｃｏｍ」６１２、「ｉｎｆｏ−ｍａｉｌ＠ｍａｉｌ．ｃｏｍ」６２２、「８１３１２３４５６７８；ｓｖｃ＝ｆａｘ」６３２のＵＲＩ情報に基づき通信相手の端末装置は、インターネットファックス通信、電子メール通信、公衆網電話回線２００を介したファックス通信の複数の通信手段で通信可能であることが認識できる。
【０１０９】
なお、「ＩＮ−ＮＡＰＴＲ」行６１はインターネットファックス通信、「ＩＮ−ＮＡＰＴＲ」行６２は電子メール通信、「ＩＮ−ＮＡＰＴＲ」行６３は公衆網電話回線２００を介したファックス通信をそれぞれ示している。
【０１１０】
なお、ＮＡＰＴＲ−ＲＲ情報６５０において、通信相手のアドレス情報は、ＵＲＩ情報に含まれており、例えばインターネットファックス通信を行う場合のアドレスは、「ｉｎｆｏ−ｆａｘ＠ｉｆａｘ．ｃｏｍ」６１２、電子メール通信を行う場合のアドレスは、「ｉｎｆｏ−ｍａｉｌ＠ｍａｉｌ．ｃｏｍ」６２２、公衆網電話回線２００を介したファックス通信を行う場合のアドレスは、「８１３１２３４５６７８」６３２である。
【０１１１】
ＥＮＵＭ用ＤＮＳ処理部１５０は、システム制御部１０１の命令指示に基づきＥＮＵＭ用ＤＮＳ１９０から返信されたＮＡＰＴＲ−ＲＲ情報６５０に基づき通信相手の端末装置が通信可能な通信手段と該通信手段を使用した場合の通信相手のアドレスをＵＲＩ形式で取り出す。
【０１１２】
システム制御部１０１は、ＥＮＵＭ用ＤＮＳ処理部１５０によって取り出された宛先番号「０３−１２３４−５６７８」４０３に対応した通信相手の通信手段、通信手段に対応したアドレス情報をバス１０７を介してＲＡＭ１０６のアドレス帳に自動登録する。
【０１１３】
なお、優先順位はユーザが予めシステムデータに設定登録した通信サービスの優先順位に従って登録する。
【０１１４】
宛先番号「０３−１２３４−５６７８」４０３に対応した通信相手の通信手段、通信手段に対応したアドレスがＲＡＭ１０６のアドレス帳に自動登録されると、操作／表示部１０４には、ＥＮＵＭ自動登録が行われた旨をユーザに知らせる図８に示すようなＥＮＵＭ自動登録通知画面８００が表示される。
【０１１５】
図８に示すように、ＥＮＵＭ自動登録通知画面８００は、アドレス帳に自動登録された通信相手の宛先名及び宛先番号を表示する宛先情報表示欄８０１（破線で囲まれた部分）と宛先情報表示欄８０１に表示された「宛先番号」がＥＮＵＭ用ＤＮＳ１９０に登録されているか否か及び自動登録が処理されたか否か等の情報メッセージを表示するメッセージ表示欄８０２（破線で囲まれた部分）と、宛先情報表示欄８０１に表示された「宛先番号」に対応した通信手段及び優先順位情報を表示する優先順通信手段表示欄８０３（破線で囲まれた部分）と、優先順通信手段表示欄８０３に表示された各優先順位に対応した通信手段のアドレスの編集処理を行う編集ボタン８０３１、８０３２、８０３３と、各優先順位に対応した通信手段及び通信手段に対応したアドレスの編集処理後のアドレス情報をアドレス帳に設定登録する「設定」ボタン８０４及び編集処理を無効とする「ＣＡＮＣＥＬ」ボタン８０５が表示される。
【０１１６】
なお、優先順通信手段表示欄８０３に表示された各優先順位に対応した通信手段は、ユーザが予めシステムデータに設定登録した利用したい通信手段の通信サービスの優先順位に対応して表示される。
【０１１７】
図８に示すように、ユーザが入力した宛先情報表示欄８０１に表示された宛先名「富士  太郎」の宛先番号「０３−１２３４−５６７８」をＥＮＵＭを利用して自動登録すると、通信相手の宛先番号「０３−１２３４−５６７８」に対応した端末装置が利用可能な通信手段のうちの情報通信装置１００が利用可能な通信サービスに適合する通信手段が選択され、システムデータに設定した通信優先順位に従って、例えば、最も優先順位の高い「優先１：Ｓｃａｎ  ｔｏ  Ｅｍａｉｌ」、２番目に優先順位の高い「優先２：ｉＦＡＸ」、３番目に優先順位の高い「優先３：ＦＡＸ」等と優先順通信手段表示欄８０３に表示される。
【０１１８】
ＥＮＵＭ自動登録通知画面８００において、自動登録した通信相手の各優先順位に対応した通信手段のアドレス情報を編集したい場合は、優先順通信手段表示欄８０３の各通信手段に対応した「編集」ボタン８０３１、８０３２、８０３３を選択することにより編集することができる。
【０１１９】
図９は、ＥＮＵＭ自動登録通知画面８００において、自動登録した通信相手の各優先順位に対応した通信手段の「編集」ボタンを押下した場合の各「編集画面」８１０、８２０、８３０を示した図である。
【０１２０】
図９（ａ）は、優先順位が最も高い「優先１：Ｓｃａｎ  ｔｏ  Ｅｍａｉｌ」の「編集画面」８１０を示す図であり、図９（ｂ）は、２番目に優先順位が高い「優先２．Ｉｎｔｅｒｎｅｔ  ｉＦＡＸ」の「編集画面」８２０を示す図、図９（ｃ）は、３番目に優先順位の高い「優先３．ＦＡＸ」の「編集画面」８３０を示す図である。
【０１２１】
図９（ａ）に示すように、ＥＮＵＭ自動登録通知画面８００において、「優先１：Ｓｃａｎ  ｔｏ  Ｅｍａｉｌ」の「編集」ボタン８０３１をタッチすると、「編集画面」８１０が表示され、「編集画面」８１０には「優先１：Ｓｃａｎ  ｔｏ  Ｅｍａｉｌ」の電子メール通信手段に対応したアドレス「ｉｎｆｏ−ｍａｉｌ＠ｍａｉｌ．ｃｏｍ」情報と「性：富士」、「名：太郎」の各情報が表示されて編集または確認可能なように構成されている。
【０１２２】
「編集画面」８１０において、編集または確認後、「戻る」ボタン８１１をタッチしてＥＮＵＭ自動登録通知画面８００に遷移後、ＥＮＵＭ自動登録通知画面８００の「設定」ボタン８０４をタッチすることで編集したアドレス「ｉｎｆｏ−ｍａｉｌ＠ｍａｉｌ．ｃｏｍ」情報または「性：富士」、「名：太郎」の各情報が更新されて登録される。
【０１２３】
図９（ｂ）及び図９（ｃ）に示すように、ＥＮＵＭ自動登録通知画面８００において、「優先２．Ｉｎｔｅｒｎｅｔ  ｉＦＡＸ」の「編集」ボタン８０３２または「優先３．ＦＡＸ」の「編集」ボタン８０３３をタッチすると、タッチした各「編集」ボタンに対応して「編集画面」８２０または「編集画面」８３０がそれぞれ表示され、図９（ａ）に示した「編集画面」８１０の動作と同様に、各通信手段に対応したアドレス情報を編集または確認後、「戻る」ボタン８２１または８３１をタッチしてＥＮＵＭ自動登録通知画面８００に遷移後、ＥＮＵＭ自動登録通知画面８００の「設定」ボタン８０４をタッチすることで編集した各アドレス等の各情報が更新されて登録される。
【０１２４】
次に、通信相手をＥＮＵＭと連動して通信相手の電話番号や各通信手段、各通信手段に対応したアドレスをユーザが選択してアドレス帳に登録する優先順位設定型ＥＮＵＭアドレス手動登録機能の動作について説明する。
【０１２５】
優先順位設定型ＥＮＵＭアドレス手動登録機能を動作させる場合は、前述に説明したように、図４に示した登録メニュー画面４００において、ユーザは、アドレス帳に登録したい通信相手の「宛先名」及び「宛先番号」を図示せぬテンキー等で入力後、「ＥＮＵＭ手動登録」ボタン４０５ボタンを選択することで優先順位設定型ＥＮＵＭアドレス手動登録機能が動作する。
【０１２６】
図１０は、登録メニュー画面４００において、ＥＮＵＭアドレス手動登録機能を動作させるための操作を示す操作画面９００を示す図である。
【０１２７】
図１０の操作画面９００に示すように、操作／表示部１０４に表示された登録メニュー画面４００でユーザがアドレス帳に登録する通信相手の宛先名を例えば「富士  太郎」及び宛先番号を例えば「０３−１２３４−５６７８」と入力し、「ＥＮＵＭ手動登録」ボタン４０５をタッチすると、情報通信装置１００は、ＥＮＵＭ用ＤＮＳ１９０に対して宛先番号の相手先の端末装置が利用可能な通信手段、通信手段に対応したアドレスを取得する為に問い合わせ処理を行う。
【０１２８】
ＥＮＵＭ用ＤＮＳ１９０に対する問い合わせ処理は、前述のＥＮＵＭアドレス自動登録機能の動作で説明したように情報通信装置１００のＥＮＵＭ用ＤＮＳ処理部１５０が入力された宛先番号「０３−１２３４−５６７８」のデータをＥＮＵＭ形式のドメイン名「８．７．６．５．４．３．２．１．３．１．８．ｅ１６４．ａｒｐａ」の文字列のドメイン名に変換後、ドメイン名「８．７．６．５．４．３．２．１．３．１．８．ｅ１６４．ａｒｐａ」に基づきＥＮＵＭ用ＤＮＳ１９０に対して問い合わせを行い、ＥＮＵＭ用ＤＮＳ１９０から返信される「８．７．６．５．４．３．２．１．３．１．８．ｅ１６４．ａｒｐａ」に対応付けられたＮＡＰＴＲ−ＲＲ情報を取得する。
【０１２９】
「８．７．６．５．４．３．２．１．３．１．８．ｅ１６４．ａｒｐａ」に対応したＮＡＰＴＲ−ＲＲ情報は、例えば、「IＮ＾ＮＡＰＴＲ  １００  １０  ”Ｕ”  ”Ｅ２Ｕ＋ｉｆａｘ：ｍａｉｌｔｏ”    ”！＾．＊＄！ｍａｉｌｔｏ：ｉｎｆｏ−ｆａｘ＠ｉｆａｘ．ｃｏｍ！”．」と、「ＩＮ  ＮＡＰＴＲ  １００  １０  ”Ｕ”  ”Ｅ２Ｕ＋ｍａｉｌｔｏ”  ”！＾．＊＄！ｍａｉｌｔｏ：ｉｎｆｏ−ｍａｉｌ＠ｍａｉｌ．ｃｏｍ！”．」と、「IＮ  ＮＡＰＴＲ  １００  １０  ”Ｕ”  ”Ｅ２Ｕ＋ｔｅｌ”  ”！＾．＊＄！ｔｅｌ：＋８１３１２３４５６７８；ｓｖｃ＝ｆａｘ！”．」等である。  
システム制御部１０１は、ネットワークインタフェース１０９及びＴＣＰ／ＵＤＰ／ＩＰ制御部１０７を介してドメイン名「８．７．６．５．４．３．２．１．３．１．８．ｅ１６４．ａｒｐａ」に対応するＮＡＰＴＲ−ＲＲ情報がＤＮＳ処理部１５０に受信されたことを確認すると、操作／表示部１０４に図１１に示すようなＥＮＵＭ手動登録設定画面９１０を表示させる。
【０１３０】
図１１に示すように、ＥＮＵＭ手動登録設定画面９１０には、登録する通信相手の宛先名（名称）及び宛先番号（電話番号）を表示する宛先情報表示欄９１１（破線で囲まれた部分）と宛先情報表示欄９１１に表示された「宛先番号」がＥＮＵＭ用ＤＮＳ１９０に登録されているか否か及びサービスを選択し登録する操作を促す情報メッセージを表示するメッセージ表示欄９１２（破線で囲まれた部分）と、宛先情報表示欄９１１に表示された「宛先番号」に対応した通信相手の通信手段の優先順位を登録する優先順通信手段登録欄９１５（破線で囲まれた部分）と、優先順通信手段登録欄９１５で登録された各優先順位に対応した通信手段をＲＡＭ１０６のアドレス帳に設定登録する「設定」ボタン９１３及び優先順通信手段登録欄９１５で各優先順位に対応した通信手段の登録処理を無効とする「ＣＡＮＣＥＬ」ボタン９１４が表示される。
【０１３１】
優先順通信手段登録欄９１５の「優先１：」欄９１６（一点鎖線で囲まれた部分）には、通信相手が利用可能な通信手段のうちの最も優先順位の高い通信手段、例えば「Ｓｃａｎ  ｔｏ  ｍａｉｌ」が表示されており、登録ボタン９１６１をタッチすることで表示された「Ｓｃａｎ  ｔｏ  ｍａｉｌ」が優先順位の最も高い通信手段として登録される。
【０１３２】
なお、優先順位はユーザが予めシステムデータに設定登録した通信サービスの優先順位に従って表示される。
【０１３３】
また、矢印ボタン９１６２をタッチすると、通信相手が利用可能な通信手段の一覧がプルダウン画面９１６３で表示され、所望の通信手段を選択し、登録ボタン９１６１をタッチすることで選択して表示された通信手段を最も優先順位の高い通信手段として「優先１：」欄９１６に登録される。
【０１３４】
この例では、「優先１：ｉＦＡＸ」として登録する。
【０１３５】
「優先１：」の欄９１６で通信手段が設定され「登録」ボタン９１６１がタッチされると、優先順通信手段登録欄９１５の「優先２：」欄９１７（一点鎖線で囲まれた部分）が表示され、通信相手が利用可能な通信手段のうちの「優先１：」欄９１６に登録した通信手段「ｉＦＡＸ」以外で優先順位の高い通信手段、例えば「Ｓｃａｎ  ｔｏ  ｍａｉｌ」が表示される。
【０１３６】
登録ボタン９１７１をタッチすると表示された「Ｓｃａｎ  ｔｏ  ｍａｉｌ」が２番目に優先順位が高い通信手段として登録される。
【０１３７】
この例では、「優先２：ＦＡＸ」として登録する。
【０１３８】
また、矢印ボタン９１７２をタッチすると、通信相手が利用可能な通信手段の一覧がプルダウン画面９１７３で表示され、所望の通信手段を選択し、登録ボタン９１７１をタッチすることで選択して表示された通信手段を２番目に高い優先順位の通信手段として「優先２：」欄９１７に登録する。
【０１３９】
このような処理を通信相手が利用可能な通信手段の数だけ優先順位付けを行い「設定」ボタン９１３をタッチすることで優先順通信手段登録欄９１５で登録された各優先順位に対応した通信手段をＲＡＭ１０６のアドレス帳に設定登録される。
【０１４０】
本発明に係わる情報通信装置１００のアドレス帳機能は、前述に説明したように、登録する通信相手と情報通信を行う通信手段を通信相手が設定した通信手段の優先順位付けを反映させて登録設定することができるように構成されている。
【０１４１】
すなわち、通信相手の電話番号登録時において、ＥＮＵＭと連動してＥＮＵＭ用ＤＮＳ１９０に問い合わせを行い、通信相手の端末装置がサポートする通信サービスに適合する通信手段及び通信手段に対応したアドレスを通信相手が設定した優先順位付けを反映してアドレス帳に自動登録する「優先順位反映型ＥＮＵＭアドレス自動登録機能」と、通信相手の端末装置がサポートする通信サービスに適合する通信手段の中から所望する通信手段を通信相手が設定した優先順位付けを反映させユーザが選択して通信手段のアドレスとともにアドレス帳に登録する「優先順位反映型ＥＮＵＭアドレス手動登録機能」を有している。
【０１４２】
この通信相手が設定した通信手段の優先順位付けを反映させて登録するか否かの判別は、情報通信装置１００のシステムデータに設定された図示せぬフラグ情報「０」：反映させない、「１」：反映させる等の情報に基づいて処理させる。
【０１４３】
なお、フラグ情報の設定は、予めユーザが図示せぬシステムデータ設定画面を用いて設定するように構成されている。
【０１４４】
「優先順位反映型ＥＮＵＭアドレス自動登録機能」及び「優先順位反映型ＥＮＵＭアドレス手動登録機能」の動作について説明する。
【０１４５】
図１２は、登録メニュー画面４００において、「優先順位反映型ＥＮＵＭアドレス自動登録機能」を動作させる操作を示す操作画面５１０を示す図である。
【０１４６】
図１２の操作画面５１０に示すように、操作／表示部１０４に表示された登録メニュー画面４００でユーザがアドレス帳に登録する通信相手の宛先名を例えば「富士  太郎」４０２及び宛先番号を例えば「０３−１２３４−５６７８」４０３と入力し、「ＥＮＵＭ自動登録」ボタン４０４をタッチすると、情報通信装置１００は、ＥＮＵＭ用ＤＮＳ１９０に対して宛先番号の相手先の端末装置が利用可能な通信手段、通信手段に対応したアドレス及び各通信手段の優先順位等の情報を取得する為に問い合わせ処理を行う。
【０１４７】
ＥＮＵＭ用ＤＮＳ１９０には、図１３に示すようなＩＴＵ−ＴのＥ．１６４勧告に基づく電話番号に対応したドメイン名と、ドメイン名に対応付けられた各通信手段と各通信手段に対応したアドレス及び通信手段の優先順位等の情報を記録したＮＡＰＴＲ−ＲＲ情報７００が図示せぬデータベースに登録されている。
【０１４８】
図１３に示すように、ＥＮＵＭ用ＤＮＳ１９０に登録されたＮＡＰＴＲ−ＲＲ情報７００に基づき、例えば、ドメイン名「８．７．６．５．４．３．２．１．３．１．８．ｅ１６４．ａｒｐａ」に対応したＮＡＰＴＲ−ＲＲ情報７５０は、ドメイン名を示す「＄ＯＲＩＧＩＮ」行６０１の「８．７．６．５．４．３．２．１．３．１．８．ｅ１６４．ａｒｐａ」というひとつのドメイン名に対してリソースレコードを示す複数の「ＩＮ  ＮＡＰＴＲ」行７１、７２、７３が記録されて登録されている。
【０１４９】
「ＩＮ  ＮＡＰＴＲ」行７１、７２、７３の各優先順位に着目すると、「ＩＮ  ＮＡＰＴＲ」行７３の「ＩＮ  ＮＡＰＴＲ  １００  １０」が最も優先順位が高く、２番目に優先順位の高い「ＩＮ  ＮＡＰＴＲ」行７１の「ＩＮ  ＮＡＰＴＲ  １０１  １０」、そして３番目に優先順位の高い「ＩＮ  ＮＡＰＴＲ」行７２の「ＩＮ  ＮＡＰＴＲ  １０２  １０」の優先順位で通信相手が優先順位付け設定していることを示している。
【０１５０】
このように、ひとつのドメイン名７０１に対して複数の「ＩＮ  ＮＡＰＴＲ」行７１、７２、７３、・・・等に設定された通信手段及び通信手段の優先順位及び通信手段に対応したアドレス等の情報が対応付けられて登録されている。
【０１５１】
情報通信装置１００からのドメイン名「８．７．６．５．４．３．２．１．３．１．８．ｅ１６４．ａｒｐａ」に対応するＮＡＰＴＲ−ＲＲ情報の問い合わせに対してＥＮＵＭ用ＤＮＳ１９０は、ＥＮＵＭ用ＤＮＳ１９０に登録されているＮＡＰＴＲ−ＲＲ情報７００を参照し、ドメイン名「８．７．６．５．４．３．２．１．３．１．８．ｅ１６４．ａｒｐａ」に対応するＮＡＰＴＲ−ＲＲ情報７５０の「＄ＯＲＩＧＩＮ」行６０のドメイン名「８．７．６．５．４．３．２．１．３．１．８．ｅ１６４．ａｒｐａ」６０１を検索し、ドメイン名「８．７．６．５．４．３．２．１．３．１．８．ｅ１６４．ａｒｐａ」６０１に対応付けられた複数の「ＩＮ  ＮＡＰＴＲ」行７１、７２、７３の情報をＮＡＰＴＲ−ＲＲ情報として情報通信装置１００に返信する。
【０１５２】
また、情報通信装置１００から送信されたドメイン名がＥＮＵＭ用ＤＮＳ１９０に登録されていない場合は、宛先番号がＥＮＵＭ用ＤＮＳ１９０に登録されていない旨の情報を情報通信装置１００に返信する。
【０１５３】
このようなＥＮＵＭ用ＤＮＳ１９０に対する問い合わせ処理の情報通信装置１００とＥＮＵＭ用ＤＮＳ１９０との間の問い合わせ情報及び応答情報の流れの手順を図で示すと図１４のようになる。
【０１５４】
図１４（ａ）に示すように、情報通信装置１００がＥＮＵＭ用ＤＮＳ１９０に対してユーザが入力した宛先番号４０３に対応したＥＮＵＭ形式のドメイン名の問い合わせを行うことで、ＥＮＵＭ用ＤＮＳ１９０から情報通信装置１００へＮＡＰＴＲ−ＲＲ情報７５０が返信される。
【０１５５】
また、図１４（ｂ）に示すように、情報通信装置１００のドメイン名の問い合わせに対してドメイン名７０１に対応するＮＡＰＴＲ−ＲＲ情報がＥＮＵＭ用ＤＮＳ１９０に登録されていない場合は、「宛先は、ＥＮＵＭに登録されていない」旨の情報７５１がＥＮＵＭ用ＤＮＳ１９０から情報通信装置１００へ返信される。
【０１５６】
ＥＮＵＭ用ＤＮＳ１９０から返信されたＮＡＰＴＲ−ＲＲ情報７５０は、インターネット１８０及びネットワーク１７０を介して情報通信装置１００のネットワークインタフェース１０９へ入力され、更にＴＣＰ／ＵＤＰ／ＩＰ制御部１０７を介してＥＮＵＭ用ＤＮＳ処理部１５０へ入力される。
【０１５７】
ＥＮＵＭ用ＤＮＳ１９０から返信されたＮＡＰＴＲ−ＲＲ情報７５０に記録された「ＩＮ  ＮＡＰＴＲ  １０１  １０  ・・・Ｅ２Ｕ＋ｉｆａｘ：ｍａｉｌｔｏ」７１、「ＩＮ  ＮＡＰＴＲ  １０２  １０  ・・・Ｅ２Ｕ＋ｍａｉｌｔｏ」７２、「ＩＮ  ＮＡＰＴＲ  １００  １０  ・・・Ｅ２Ｕ＋ｔｅｌ」７３に基づき通信相手の端末装置は、優先順位の最も高い公衆網電話回線２００を介したファックス通信、２番目に優先順位の高いインターネットファックス通信、３番目に優先順位の高い電子メール通信等の複数の通信手段で通信可能であることが認識できる。
【０１５８】
なお、優先順位が同一であれば優先順位はユーザが予めシステムデータに設定登録した通信サービスの優先順位に従う。
【０１５９】
ＥＮＵＭ用ＤＮＳ処理部１５０は、システム制御部１０１の命令指示に基づきＥＮＵＭ用ＤＮＳ１９０から返信されたＮＡＰＴＲ−ＲＲ情報７５０に基づき通信相手の端末装置が通信可能な通信手段と、通信手段の優先順位及び該通信手段を使用した場合の通信相手のアドレスをＵＲＩ形式で取り出す。
【０１６０】
システム制御部１０１は、ＥＮＵＭ用ＤＮＳ処理部１５０によって取り出された宛先番号「０３−１２３４−５６７８」４０３に対応した通信相手の通信手段、アドレス及び優先順位の情報に基づき、通信相手が設定した通信手段の優先順位付けに対応させた通信手段及び通信手段に対応したアドレス情報等をバス１０７を介してＲＡＭ１０６のアドレス帳に自動登録する。
【０１６１】
宛先番号「０３−１２３４−５６７８」４０３に対応して通信相手が設定した通信手段の優先順位付けに対応させた通信手段及び通信手段に対応したアドレス情報等がＲＡＭ１０６のアドレス帳に自動登録されると、操作／表示部１０４に通信相手が設定した通信手段の優先順位付けを反映させてＥＮＵＭ自動登録が行われた旨をユーザに知らせる図１５に示すようなＥＮＵＭ自動登録通知画面８５０が表示される。
【０１６２】
図１５に示すように、ＥＮＵＭ自動登録通知画面８５０は、図８で示したＥＮＵＭ自動登録通知画面８００と同様に自動登録された通信相手の宛先名及び宛先番号を表示する宛先情報表示欄８５１（破線で囲まれた部分）と宛先情報表示欄８５１に表示された「宛先番号」がＥＮＵＭ用ＤＮＳ１９０に登録されているか否か及び通信相手が設定した優先順位付けを反映した自動登録が処理されたか否か等の情報メッセージを表示するメッセージ表示欄８５２（破線で囲まれた部分）と、宛先情報表示欄８５１に表示された「宛先番号」に対応した通信手段及び優先順位情報を表示する優先順通信手段表示欄８５３（破線で囲まれた部分）と、優先順通信手段表示欄８５３に表示された各優先順位に対応した通信手段のアドレスの編集処理を行う編集ボタン８５３１、８５３２、８５３３と、各優先順位に対応した通信手段及び通信手段に対応したアドレスの編集処理後のアドレス情報をアドレス帳に設定登録する「設定」ボタン８５４及び編集処理を無効とする「ＣＡＮＣＥＬ」ボタン８５５が表示される。
【０１６３】
なお、優先順通信手段表示欄８５３に表示された各優先順位に対応した通信手段は、通信相手が優先して利用したい通信手段の通信サービスの優先順位付けに対応して表示される。
【０１６４】
図１５に示すように、宛先情報表示欄８５１に表示された宛先名「富士  太郎」の宛先番号「０３−１２３４−５６７８」をＥＮＵＭを利用して通信相手が設定した通信手段の優先順位付けを反映させて自動登録すると、通信相手の宛先番号「０３−１２３４−５６７８」に対応した端末装置が利用可能な通信手段のうちの情報通信装置１００が利用可能な通信サービスに適合する通信手段が選択され、通信相手が優先して利用したい通信手段の通信サービスの優先順位付けに従って、例えば、最も優先順位の高い「優先１：ＦＡＸ」、２番目に優先順位の高い「優先２：ｉＦＡＸ」、３番目に優先順位の高い「優先１：Ｓｃａｎ  ｔｏ  Ｅｍａｉｌ」等と優先順通信手段表示欄８５３に表示される。
【０１６５】
ＥＮＵＭ自動登録通知画面８５０において、自動登録した通信相手の各優先順位に対応した通信手段のアドレス情報を編集したい場合は、優先順通信手段表示欄８５３の各通信手段に対応した「編集」ボタン８５３１、８５３２、８５３３を選択することにより編集することができる。
【０１６６】
ＥＮＵＭ自動登録通知画面８５０において、自動登録した通信相手の各優先順位に対応した通信手段のアドレス情報を編集する処理動作の説明は、前述の図９で説明した処理動作と同様であるので、説明の便宜上、省略する。
【０１６７】
次に、通信相手の端末装置がサポートする通信サービスに適合する通信手段の中から所望する通信手段を通信相手が設定した優先順位付けを反映させユーザが選択して通信手段のアドレスとともにアドレス帳に登録する「優先順位反映型ＥＮＵＭアドレス手動登録機能」の動作について説明する。
【０１６８】
図１６は、登録メニュー画面４００において、「優先順位反映型ＥＮＵＭ手動登録機能」を動作させる操作を示す操作画面９５０を示す図である。
【０１６９】
図１６の操作画面９５０に示すように、操作／表示部１０４に表示された登録メニュー画面４００でユーザがアドレス帳に登録する通信相手の宛先名を例えば「富士  太郎」４０２及び宛先番号を例えば「０３−１２３４−５６７８」４０３と入力し、「ＥＮＵＭ手動登録」ボタン４０５をタッチすると、情報通信装置１００は、ＥＮＵＭ用ＤＮＳ１９０に対して宛先番号の相手先の端末装置が利用可能な通信手段、通信手段に対応したアドレス及び各通信手段の優先順位等の情報を取得する為の問い合わせ処理を行う。
【０１７０】
ＥＮＵＭ用ＤＮＳ１９０に対する問い合わせ処理は、前述に説明したように情報通信装置１００がドメイン名「８．７．６．５．４．３．２．１．３．１．８．ｅ１６４．ａｒｐａ」に対応するＮＡＰＴＲ−ＲＲの問い合わせを行いＥＮＵＭ用ＤＮＳ１９０からドメイン名「８．７．６．５．４．３．２．１．３．１．８．ｅ１６４．ａｒｐａ」に対応したＮＡＰＴＲ−ＲＲ情報７５０のドメイン名「８．７．６．５．４．３．２．１．３．１．８．ｅ１６４．ａｒｐａ」７０１に対応付けられた複数の「ＩＮ  ＮＡＰＴＲ」行７１、７２、７３の情報を取得する。
【０１７１】
システム制御部１０１は、ネットワークインタフェース１０９及びＴＣＰ／ＵＤＰ／ＩＰ制御部１０７を介してドメイン名「８．７．６．５．４．３．２．１．３．１．８．ｅ１６４．ａｒｐａ」に対応するＮＡＰＴＲ−ＲＲ情報がＥＮＵＭ用ＤＮＳ処理部１５０に受信されたことを確認すると、操作／表示部１０４に図１７に示すようなＥＮＵＭ手動登録設定画面９６０を表示させる。
【０１７２】
図１７に示すように、ＥＮＵＭ手動登録設定画面９６０には、登録する通信相手の宛先名（名称）及び宛先番号（電話番号）を表示する宛先情報表示欄９６１（破線で囲まれた部分）と宛先情報表示欄９６１に表示された「宛先番号」がＥＮＵＭ用ＤＮＳ１９０に登録されているか否か及び登録先からサービス優先順位が指定されたサービスを選択し登録する操作を促す情報メッセージを表示するメッセージ表示欄９６２（破線で囲まれた部分）と、宛先情報表示欄９６１に表示された「宛先番号」に対応した通信相手の通信手段の優先順位を登録する優先順通信手段登録欄９６５（破線で囲まれた部分）と、優先順通信手段登録欄９６５で表示された各優先順位に対応した通信手段をＲＡＭ１０６のアドレス帳に設定登録する「設定」ボタン９６３及び優先順通信手段登録欄９６５で各優先順位に対応した通信手段の登録処理を無効とする「ＣＡＮＣＥＬ」ボタン９６４が表示される。
【０１７３】
優先順通信手段登録欄９６５の「優先１：」欄９６６（一点鎖線で囲まれた部分）には、通信相手が利用可能な通信手段のうちの登録先が設定した優先順位付けに対応した最も優先順位の高い通信手段、例えば「ＦＡＸ」が表示されており、登録ボタン９６６１をタッチすることで表示された「ＦＡＸ」が優先順位の最も高い通信手段として登録される。
【０１７４】
また、図１７（ｂ）に示すように、ＥＮＵＭ手動登録設定画面９６０の「優先２：」欄９６７（一点鎖線で囲まれた部分）には、通信相手が利用可能な通信手段のうちの登録先が設定した優先順位付けに対応した２番目に優先順位の高い通信手段、例えば「ｉＦＡＸ」が表示されており、矢印ボタン９６７２をタッチすると、通信相手が利用可能な通信手段の一覧がプルダウン画面９６７３で表示され、所望の通信手段を選択し、登録ボタン９６７１をタッチすることで選択して表示された通信手段を２番目に優先順位の高い通信手段として「優先２：」欄９６７に登録される。
【０１７５】
このような処理を通信相手が利用可能な通信手段の数だけ優先順位付けを行い「設定」ボタン９６３をタッチすることで優先順通信手段登録欄９６５で登録された各優先順位に対応した通信手段をＲＡＭ１０６のアドレス帳に設定登録する。
【０１７６】
このように優先順位設定型ＥＮＵＭアドレス自動登録機能と、優先順位設定型ＥＮＵＭアドレス手動登録機能と、手動登録機能と、優先順位反映型ＥＮＵＭアドレス自動登録機能と、優先順位反映型優先順位手動登録機能の何れかを動作させて通信相手の情報を登録したアドレス帳を利用して登録された通信相手と情報通信する場合の動作の一例について説明する。
【０１７７】
ユーザが情報通信装置１００の操作／表示部１０４に配置された図示せぬアドレス帳参照機能キーを押下すると、図示せぬアドレス帳登録番号選択画面が表示され、アドレス帳登録番号を選択または入力すると図１８に示すようなアドレス帳登録番号に対応したアドレス帳参照画面９８０が表示される。
【０１７８】
図１８に示すように、アドレス帳参照画面９８０は、アドレス帳のアドレス帳登録番号に登録された通信相手の宛先名及び宛先番号を表示する宛先情報表示欄９８１（破線で囲まれた部分）と、宛先情報表示欄９８１に表示された「宛先番号」に対応した通信手段及び優先順位情報を表示する優先順通信手段表示欄９８３（破線で囲まれた部分）と、優先順通信手段表示欄９８３に表示された各優先順位に対応した通信手段で情報を送信する「送信」ボタン９８４及び送信処理を無効とする「ＣＡＮＣＥＬ」ボタン９８５が表示される。
【０１７９】
ユーザがアドレス帳参照画面９８０で「送信」ボタン９８４タッチすると、情報が優先順位の最も高い「優先１：ｉＦＡＸ」の通信手段で「優先１：ｉＦＡＸ」に対応付けられたアドレスへ情報が送信される。
【０１８０】
このような情報通信装置１００のアドレス帳を利用して登録された通信相手と情報通信する場合の情報通信装置１００と各種サーバとの情報の流れの手順を図で示すと図１９のようになる。
【０１８１】
図１９に示すように、情報通信装置１００は、ユーザによって指定されたアドレス帳登録番号に対応したアドレス帳参照画面９８０の情報に基づいて「優先１：ｉＦＡＸ」の通信手段で「優先１：ｉＦＡＸ」に対応付けられたアドレス「ｉｎｆｏ−ｆａｘ＠ｉｆａｘ．ｃｏｍ」を指定してＳＭＴＰサーバ１９１へＳＭＴＰ送信し、ＳＭＴＰサーバ１９１を介して通信相手のアドレス「ｉｎｆｏ−ｆａｘ＠ｉｆａｘ．ｃｏｍ」に対応付けられた端末装置へ送信される。
【０１８２】
以上説明したように、本発明に係わる情報通信方法を適用した情報通信装置は、ＥＮＵＭと連動して通信相手の電話番号に対応付けられた端末装置の利用可能な通信手段、通信手段に対応したアドレス及び通信手段の優先順位等の情報がアドレス帳へ登録可能に構成されているので、アドレス帳へ通信相手を登録する際の誤登録を防止し、ユーザの入力の手間を省くことが可能となる。
【０１８３】
また、ユーザが通信相手と通信する通信手段を選択して登録することができ、また、通信相手が設定した通信手段の優先順位付けの意向を反映した登録ができるで、不必要な通信手段の登録を防止するとともに通信相手が希望する通信手段で通信を行うことができる。
【０１８４】
更に、ＥＮＵＭ用ＤＮＳ等のサーバがダウン等の不具合が生じた場合であっても、登録された通信手段及び通信手段に対応したアドレス情報に基づき通信を行うことができる。
【産業上の利用可能性】
【０１８５】
この発明は、電子メール、インターネットファックス、ファックスなど複数の通信手段を有する情報通信装置において利用可能である。
【０１８６】
この発明によれば、通信相手の電話番号を入力することで、当該通信相手の電話番号に対応したインターネットファックス、電子メールアドレス等のインターネット資源のアドレスを少なくとも１つ取得することができる。
【図面の簡単な説明】
【０１８７】
【図１】本発明に係わる情報通信装置１００の接続状態の一例を示した概略図
【図２】本発明に係わる情報通信装置１００の構成例を示すブロック図
【図３】情報通信装置１００の各機能を動作させる処理動作を示すフローチャート
【図４】アドレス帳の登録番号に対応した登録メニュー画面４００の一例を示す図
【図５】優先順位設定型ＥＮＵＭアドレス自動登録機能を動作させる操作画面５００の一例を示す図
【図６】ＥＮＵＭ用ＤＮＳ１９０に登録されたＮＡＰＴＲ−ＲＲ情報６００の一例を示す図
【図７】問い合わせ処理における情報通信装置１００とＥＮＵＭ用ＤＮＳ１９０間での情報の流れの手順を示す図
【図８】ＥＮＵＭ自動登録通知画面８００の一例を示す図
【図９】「編集画面」８１０、８２０、８３０の一例を示す図
【図１０】優先順位設定型ＥＮＵＭアドレス手動登録機能を動作させる操作画面９００を示す図
【図１１】ＥＮＵＭ手動登録設定画面９１０の一例を示す図
【図１２】優先順位反映型ＥＮＵＭアドレス自動登録機能を動作させる操作画面５１０の一例を示す図
【図１３】ＮＡＰＴＲ−ＲＲ情報７００の一例を示す図
【図１４】問い合わせ処理における情報通信装置１００とＥＮＵＭ用ＤＮＳ１９０間での情報の流れの手順を示す図
【図１５】ＥＮＵＭ自動登録通知画面８５０の一例を示す図
【図１６】優先順位反映型ＥＮＵＭアドレス手動登録機能を動作させる操作画面９５０の一例を示す図
【図１７】ＥＮＵＭ手動登録設定画面９６０の一例を示す図
【図１８】アドレス帳登録番号に対応したアドレス帳参照画面９８０の一例を示す図
【図１９】アドレス帳に登録された通信相手と情報通信する場合の情報通信装置１００と各種サーバとの情報の流れの手順を示す図
【符号の説明】
【０１８８】
１０    電話
４０  コンピュータ
５０    インターネットＦＡＸ装置
６０    ＥＮＵＭシステム
１００  情報通信装置      
１０１    システム制御部
１０２    スキャナ部
１０３    プリンタ部
１０４    操作／表示部
１０５    画像蓄積部
１０６    ＲＡＭ
１０７    バス
１０８    ＴＣＰ／ＵＤＰ／ＩＰ制御部
１０９    ネットワークインタフェース
１１０    画像処理部
１１１    ファイル変換部
１２０    ＦＡＸ部
１２１、１４１  通信画像処理部
１２２    Ｔ３０制御部
１２３    モデム
１２４    ＮＣＵ
１４０    電子メール部
１４３    メールプロトコル制御部
１５０    ＥＮＵＭ用ＤＮＳ処理部
１７０    ネットワーク
１８０    インターネット
１９０    ＥＮＵＭ用ＤＮＳ
１９１    ＳＭＴＰサーバ
２００    公衆網電話回線（ＰＳＴＮ）
４００    登録メニュー画面
５００    優先順位設定型ＥＮＵＭアドレス自動登録機能を動作させる操作画面
５１０    優先順位反映型ＥＮＵＭ自動登録機能を動作させる操作画面
６００、７００  ＥＮＵＭ用ＤＮＳ１９０に登録されたＮＡＰＴＲ−ＲＲ情報
８００、８５０  ＥＮＵＭ自動登録通知画面
８１０、８２０、８３０  自動登録した通信相手の各通信手段の「編集画面」
９００    優先順位設定型ＥＮＵＭアドレス手動登録機能を動作させる操作画面
９１０、９６０  ＥＮＵＭ手動登録設定画面
９５０    優先順位反映型ＥＮＵＭ手動登録機能を動作させる操作画面
９８０    アドレス帳参照画面
【図１】
2006020048.tif 000003
【図２】
2006020048.tif 000004
【図３】
2006020048.tif 000005
【図４】
2006020048.tif 000006
【図５】
2006020048.tif 000007
【図６】
2006020048.tif 000008
【図７】
2006020048.tif 000009
【図８】
2006020048.tif 000010
【図９】
2006020048.tif 000011
【図１０】
2006020048.tif 000012
【図１１】
2006020048.tif 000013
【図１２】
2006020048.tif 000014
【図１３】
2006020048.tif 000015
【図１４】
2006020048.tif 000016
【図１５】
2006020048.tif 000017
【図１６】
2006020048.tif 000018
【図１７】
2006020048.tif 000019
【図１８】
2006020048.tif 000020
【図１９】
2006020048.tif 000021